(57)【要約】【課題】  本発明の目的は、浴室において運動を行う使用者に対して、身体への負担を軽減しながら浴室における快適な運動を提供することができるミストサウナ装置を実現する点にある。【解決手段】  浴室１にミストを吹出すミスト手段Ｍ１と、吹出されるミストの温度を設定可能なミスト温度設定手段Ｍ２と、使用者の発汗を促す所定の温ミスト温度域に設定された温ミストを吹出させる温ミスト浴運転を実行可能な制御手段４０を備えたミストサウナ装置５０において、制御手段４０が、浴室１において運動する使用者６０に対して、使用者６０の冷却を促す温ミスト温度域よりも低い冷ミスト温度域に設定された冷ミストを吹出させる冷ミスト浴運転を実行可能に構成されている。【選択図】        図２
2006136651.tif 000002
【特許請求の範囲】
【請求項１】
浴室にミストを吹出すミスト手段と、前記ミスト手段で吹出されるミストの温度を設定可能なミスト温度設定手段と、前記ミスト温度設定手段により使用者の発汗を促す所定の温ミスト温度域に設定された温ミストを前記ミスト手段により吹出させる温ミスト浴運転を実行可能な制御手段を備えたミストサウナ装置であって、
前記制御手段が、前記浴室において運動する使用者に対して、前記ミスト温度設定手段により使用者の冷却を促す前記温ミスト温度域よりも低い冷ミスト温度域に設定された冷ミストを前記ミスト手段により吹出させる冷ミスト浴運転を実行可能に構成されているミストサウナ装置。
【請求項２】
前記制御手段が、運動器具から前記使用者の運動状態に関する運動状態情報が入力され、前記運動状態情報に基づいて前記冷ミスト浴運転状態を制御するように構成されている請求項１に記載のミストサウナ装置。
【請求項３】
前記制御手段が、前記浴室の温度又は湿度に関する環境状態情報が入力され、前記運動状態情報と前記環境状態情報に基づいて前記冷ミスト浴運転状態を制御するように構成されている請求項２に記載のミストサウナ装置。
【請求項４】
前記制御手段が、前記運動状態情報として前記運動器具による運動開始を認識可能な運動開始情報が入力され、前記運動開始情報により認識した前記運動器具による運動開始時に前記冷ミスト浴運転を開始する請求項２又は３に記載のミストサウナ装置。
【請求項５】
前記制御手段が、前記運動状態情報として前記運動器具による運動時間を認識可能な運動時間情報が入力され、前記運動時間情報により認識した前記運動器具による運動時間が設定運動時間に達したときに前記冷ミスト浴運転を終了する請求項２〜４の何れか一項に記載のミストサウナ装置。
【請求項６】
前記制御手段が、前記運動状態情報として前記運動器具による運動時間を認識可能な運動時間情報が入力され、前記運動時間情報により認識した前記運動器具による運動時間に応じて前記冷ミスト浴運転における前記冷ミストの温度又は前記冷ミストの吹出量を変化させる請求項２〜５の何れか一項に記載のミストサウナ装置。
【請求項７】
前記制御手段が、前記運動状態情報として前記運動器具による運動負荷を認識可能な運動負荷情報が入力され、前記運動負荷情報に基づいて前記冷ミスト浴運転における前記ミスト温度設定手段の作動を制御して、前記運動器具による運動負荷に応じて前記冷ミスト浴運転における前記冷ミストの温度を変化させる請求項２〜６の何れか一項に記載のミストサウナ装置。
【請求項８】
前記制御手段が、前記運動状態情報として前記運動器具の使用者の心拍数を認識可能な心拍数情報が入力され、前記心拍数情報により認識した前記使用者の心拍数に応じて前記冷ミスト浴運転における前記冷ミストの温度又は前記冷ミストの吹出量を変化させる請求項２〜７の何れか一項に記載のミストサウナ装置。
【請求項９】
前記制御手段が、前記運動状態情報として前記運動器具の動作状態を認識可能な動作状態情報が入力され、前記動作状態情報により認識した前記運動器具の動作状態に応じて前記冷ミストの吹出量を変化させる請求項２〜８の何れか一項に記載のミストサウナ装置。
【請求項１０】
前記制御手段が、前記運動器具から前記使用者の運動状態に関する運動状態情報が入力され、前記運動状態情報を前記使用者に通知するように構成されている請求項２〜９の何れか一項に記載のミストサウナ装置。
【請求項１１】
浴室に風を吹出す送風手段と、前記送風手段で吹出される風の温度を設定可能な送風温度設定手段とを備え、
前記制御手段が、前記温ミスト浴運転時において、前記送風温度設定手段により所定の温風温度域に設定した温風を前記送風手段により吹出させ、前記冷ミスト浴運転時において、前記送風温度設定手段により前記温風温度域よりも低い冷風温度域に設定した冷風を前記送風手段により吹出させる請求項１〜１０の何れか一項に記載のミストサウナ装置。
【発明の詳細な説明】
【技術分野】
【０００１】
本発明は、浴室にミストを吹出すミスト手段と、前記ミスト手段で吹出されるミストの温度を設定可能なミスト温度設定手段と、前記ミスト温度設定手段により使用者の発汗を促す所定の温ミスト温度域に設定された温ミストを前記ミスト手段により吹出させる温ミスト浴運転を実行可能な制御手段を備えたミストサウナ装置に関する。
【背景技術】
【０００２】
従来のミストサウナ装置は、家庭等の浴室に設置され、ミストノズル等からなる上記ミスト手段と、そのミスト手段へ湯温調整を伴って湯水を供給可能な給湯器等からなる上記ミスト温度設定手段と、それらミスト手段とミスト温度設定手段との作動を制御して上記のような温ミスト浴運転を実行可能なコンピュータ等からなる制御手段とを備える（例えば、特許文献１を参照。）。
【０００３】
そして、ミストサウナ装置は、上記温ミスト浴運転を実行して、浴室に吹出されるミストの温度が使用者の発汗を促す４０℃〜５０℃程度の所定の温ミスト温度域に設定された温ミストを浴室に吹出すことで、浴室が高温多湿な所謂ミストサウナ空間となり、その浴室に居る使用者は上記比較的高温の温ミストを浴びる所謂温ミスト浴を行うことができる。
更に、ミストサウナ装置は、例えば浴室暖房乾燥機として設置された、浴室に送風する送風手段と、送風手段の送風温度を設定可能な送風温度設定手段とを備え、上記制御手段が、温ミスト浴運転を行う場合に、比較的高温の温ミスト温度域の温ミストが吹出される浴室に対して、４０℃程度の比較的高温の高風温度域に設定された温風を吹出すことで、浴室を一層高温多湿なミストサウナ空間とすることができる。
そして、ミストサウナ装置による温ミスト浴運転により、高温多湿なミストサウナ空間となった浴室において、使用者が温ミスト浴を行って、美容と健康の増進を図ることができる。
【０００４】
【特許文献１】特開２００１−２７６１７０号公報
【発明の開示】
【発明が解決しようとする課題】
【０００５】
しかしながら、上記のような温ミスト浴は、発汗による効果は期待できるものの、消費カロリーは僅かであることから、ダイエットや体力増進等の効果はあまり期待できない。
また、ダイエット等の目的で、使用者が温ミスト浴を長時間行うと、退屈な思いをする上に、使用者への身体への負担が大きくなり、問題である。
【０００６】
一方、ダイエットや体力増進のために、比較的温暖な浴室において、例えば、エアロバイク、ステッパー、レッグプレス、レッグエクステンション、ベンチプレス、サンドバック、ダンベルなどの運動器具を利用した運動を行う場合がある。
このような浴室における運動は、比較的大きな発汗作用とカロリー消費を期待できることから特にダイエットに有効であると認識されるが、使用者の身体への負担を軽減するために、十分な効果を発揮できる程度の過度の運動は控えたほうがよいと考えられる。
【０００７】
本発明は、上記の課題に鑑みてなされたものであり、その目的は、浴室において運動を行う使用者に対して、身体への負担を軽減しながら浴室における快適な運動を提供することができるミストサウナ装置を実現する点にある。
【課題を解決するための手段】
【０００８】
上記目的を達成するための本発明に係るミストサウナ装置は、浴室にミストを吹出すミスト手段と、前記ミスト手段で吹出されるミストの温度を設定可能なミスト温度設定手段と、前記ミスト温度設定手段により使用者の発汗を促す所定の温ミスト温度域に設定された温ミストを前記ミスト手段により吹出させる温ミスト浴運転を実行可能な制御手段を備えたミストサウナ装置であって、その第１特徴構成は、前記制御手段が、前記浴室において運動する使用者に対して、前記ミスト温度設定手段により使用者の冷却を促す前記温ミスト温度域よりも低い冷ミスト温度域に設定された冷ミストを前記ミスト手段により吹出させる冷ミスト浴運転を実行可能に構成されている点にある。
【０００９】
上記第１特徴構成によれば、上記制御手段により上記冷ミスト浴運転を実行することで、使用者が浴室においてダイエットや体力増進等の効果を発揮できる程度の運動を行っても、その運動を行っている使用者は、比較的低温の冷ミストを浴びる冷ミスト浴を行うことこができ、その使用者の体温の上昇を抑制して、使用者の身体への負担を軽減することができる。
更に、使用者の運動による発汗が、冷ミスト浴において使用者に向けて吹出される冷ミストにより常時洗い流されるので、使用者の発汗による不快感を軽減することができる。
また、使用者は、比較的低温の冷ミストが体に吹き付けられることにより、快適な触感を得ながら、退屈な思いを凌ぎながらダイエットや体力増進に有効な運動を継続して行うことができる。
以上のように、本発明により、浴室において使用者が運動を行う際に、制御手段により冷ミスト浴運転を行うことで、使用者は運動と冷ミスト浴との両方を行うことができ、使用者の身体への負担を軽減しながら浴室での快適な運動を提供することができる。
【００１０】
尚、ここで、冷ミスト浴運転において浴室に吹出される冷ミストの温度域として設定される上記冷ミスト温度域は、浴室で運動を行う使用者を冷却し得る程度の温度域として設定され、例えば、標準的な人の体温（例えば３７℃程度）よりも若干高い温度（例えば４０℃程度）から、浴室で運動を行う使用者を過冷却しない程度の温度（例えば２８℃程度）の範囲内の温度域に設定することができる。
【００１１】
本発明に係るミストサウナ装置の第２特徴構成は、前記制御手段が、運動器具から前記使用者の運動状態に関する運動状態情報が入力され、前記運動状態情報に基づいて前記冷ミスト浴運転状態を制御するように構成されている点にある。
【００１２】
上記第２特徴構成によれば、浴室に設置されるトレーニングマシン等の運動器具が、その運動器具の状態やそれを使用する使用者の状態等の使用者の運動情報に関する運動状態情報を、上記制御手段に対して出力することができる。そして、上記制御手段により、その運動状態情報に基づいて、例えばミスト手段により調整可能な冷ミストの吹出量やミスト温度設定手段により調整可能な冷ミストの温度等の冷ミスト浴運転状態を変化させることができる。よって、浴室において冷ミスト浴を行いながら運動器具による運動を行う使用者に対して、冷ミスト浴運転状態の変化によりその使用者の運動状態を認識させることができ、更には、そのような冷ミスト浴運転状態の変化により、退屈な思いを凌ぎながら運動状態に合わせて適切に使用者の体温上昇を抑制し身体への負担を軽減することができる。
【００１３】
本発明に係るミストサウナ装置の第３特徴構成は、前記制御手段が、前記浴室の温度又は湿度に関する環境状態情報が入力され、前記運動状態情報と前記環境状態情報に基づいて前記冷ミスト浴運転状態を制御するように構成されている点にある。
【００１４】
季節などの変化により、浴室の温度や湿度が変化し、浴室で運動を行う使用者の体温の上昇状態が変化するが、上記第３特徴構成によれば、その浴室の温度又は湿度を計測するセンサ等から、その温度又は湿度に関する環境状態情報が入力されて、上述した運動状態情報に加えて、その環境状態情報に基づいて、例えば、例えばミスト手段により調整可能な冷ミストの吹出量やミスト温度設定手段により調整可能な冷ミストの温度等の冷ミスト浴運転状態を変化させることで、浴室の温度や湿度に応じて変化する使用者の体温上昇を一層適切に抑制し、身体への負担を軽減することができる。
【００１５】
本発明に係るミストサウナ装置の第４特徴構成は、前記制御手段が、前記運動状態情報として前記運動器具による運動開始を認識可能な運動開始情報が入力され、前記運動開始情報により認識した前記運動器具による運動開始時に前記冷ミスト浴運転を開始する点にある。
【００１６】
上記第４特徴構成によれば、使用者が浴室において運動器具による運動を開始する際に、煩雑な操作を必要とせずに、自動的に制御手段による冷ミスト浴運転を開始させて、使用者に冷ミスト浴を行わせることができる。
【００１７】
本発明に係るミストサウナ装置の第５特徴構成は、前記制御手段が、前記運動状態情報として前記運動器具による運動時間を認識可能な運動時間情報が入力され、前記運動時間情報により認識した前記運動器具による運動時間が設定運動時間に達したときに前記冷ミスト浴運転を終了する点にある。
【００１８】
上記第５特徴構成によれば、使用者が浴室において冷ミスト浴を行いながら運動器具による運動を行っている際に、煩雑な操作を必要とせずに、その運動器具による運動時間が使用者の身体への負担の増大を抑制できる適切な設定運動時間に達したときに、自動的に制御手段による冷ミスト浴運転を終了させて、使用者に対してその運動を終了することを促すことができる。
また、上記制御手段は、冷ミスト浴運転を終了するとき又はその直前に、使用者に対して、表示又は音声案内により終了を通知するように構成しても構わない。
【００１９】
本発明に係るミストサウナ装置の第６特徴構成は、前記制御手段が、前記運動状態情報として前記運動器具による運動時間を認識可能な運動時間情報が入力され、前記運動時間情報により認識した前記運動器具による運動時間に応じて前記冷ミスト浴運転における前記冷ミストの温度又は前記冷ミストの吹出量を変化させる点にある。
【００２０】
上記第６特徴構成によれば、使用者が浴室において冷ミスト浴を行いながら運動器具による運動を行っている際に、煩雑な操作を必要とせずに、その運動器具による運動時間に合わせて自動的に制御手段による冷ミスト浴運転において吹出される冷ミストの温度や吹出量を変化させることができ、使用者に対してその運動の経過を認識させることができる。更には、運動時間が長くなるほど、冷ミストの温度を徐々に低下させたり、冷ミストの吹出量を徐々に増加させることで、使用者の体温が運動時間の経過に伴って上昇することを適切に抑制し、使用者の身体への負担を軽減することができる。
【００２１】
本発明に係るミストサウナ装置の第７特徴構成は、前記制御手段が、前記運動状態情報として前記運動器具による運動負荷を認識可能な運動負荷情報が入力され、前記運動負荷情報に基づいて前記冷ミスト浴運転における前記ミスト温度設定手段の作動を制御して、前記運動器具による運動負荷に応じて前記冷ミスト浴運転における前記冷ミストの温度を変化させる点にある。
【００２２】
上記第７特徴構成によれば、使用者が浴室において冷ミスト浴を行いながら運動器具による運動を行っている際に、煩雑な操作を必要とせずに、その運動器具による運動負荷に合わせて自動的に制御手段による冷ミスト浴運転において吹出される冷ミストの温度や吹出量を変化させることができ、使用者に対してその運動負荷の程度を認識させることができる。更には、運動負荷が大きいほど、冷ミストの温度を低くしたり、冷ミストの吹出量を多くすることで、運動負荷が大きいほど顕著に上昇する使用者の体温を適切に抑制し、使用者の身体への負担を軽減することができる。
【００２３】
本発明に係るミストサウナ装置の第８特徴構成は、前記制御手段が、前記運動状態情報として前記運動器具の使用者の心拍数を認識可能な心拍数情報が入力され、前記心拍数情報により認識した前記使用者の心拍数に応じて前記冷ミスト浴運転における前記冷ミストの温度又は前記冷ミストの吹出量を変化させる点にある。
【００２４】
上記第８特徴構成によれば、使用者が浴室において冷ミスト浴を行いながら運動器具による運動を行っている際に、煩雑な操作を必要とせずに、その運動器具で計測された使用者の心拍数に合わせて自動的に制御手段による冷ミスト浴運転において吹出される冷ミストの温度や吹出量を変化させることができ、使用者に対してその心拍数の上昇程度を認識させることができる。更には、心拍数が高いほど、冷ミストの温度を低くしたり、冷ミストの吹出量を多くすることで、心拍数の上昇に伴う使用者の体温の上昇を適切に抑制し、使用者の身体への負担を軽減することができる。
【００２５】
本発明に係るミストサウナ装置の第９特徴構成は、前記制御手段が、前記運動状態情報として前記運動器具の動作状態を認識可能な動作状態情報が入力され、前記動作状態情報により認識した前記運動器具の動作状態に応じて前記冷ミストの吹出量を変化させる点にある。
【００２６】
上記第９特徴構成によれば、使用者が浴室において冷ミスト浴を行いながら運動器具による運動を行っている際に、煩雑な操作を必要とせずに、その運動器具の動作状態に合わせて自動的に制御手段による冷ミスト浴運転において吹出される冷ミストの吹出量を変化させることができ、使用者に対して運動器具の動作状態を認識させ、退屈な思いを凌ぎながらダイエットや体力増進に有効な運動を行わせることができる。
【００２７】
本発明に係るミストサウナ装置の第１０特徴構成は、前記制御手段が、前記運動器具から前記使用者の運動状態に関する運動状態情報が入力され、前記運動状態情報を前記使用者に通知するように構成されている点にある。
【００２８】
上記第１０特徴構成によれば、使用者が浴室において冷ミスト浴を行いながら運動器具による運動を行っている際に、上述した使用者の運動状態に関する運動状態情報を通知部により表示又は音声案内により通知することにより、使用者に対して運動状態を認識させることができる。
【００２９】
本発明に係るミストサウナ装置の第１１特徴構成は、浴室に風を吹出す送風手段と、前記送風手段で吹出される風の温度を設定可能な送風温度設定手段とを備え、
前記制御手段が、前記温ミスト浴運転時において、前記送風温度設定手段により所定の温風温度域に設定した温風を前記送風手段により吹出させ、前記冷ミスト浴運転時において、前記送風温度設定手段により前記温風温度域よりも低い冷風温度域に設定した冷風を前記送風手段により吹出させる点にある。
【００３０】
上記第１１特徴構成によれば、例えば浴室暖房乾燥機として設置された、浴室に送風する送風手段と、送風手段の送風温度を設定可能な送風温度設定手段とを備え、上記制御手段により、温ミスト浴運転を行う場合に、比較的高温の温ミスト温度域の温ミストが吹出される浴室に対して、比較的高温の高風温度域に設定された温風を吹出すことで、浴室を一層高温多湿なミストサウナ空間とすることができる。一方、制御手段により、浴室で運動する使用者の冷却を目的とした冷ミスト浴運転を行う場合に、比較的低温の冷ミスト温度域の冷ミストが吹出される浴室に対して、上記高風温度域よりも低い冷風温度域の冷風を吹出すことで、浴室で運動を行う使用者を一層冷却し得る空間とすることができる。
尚、冷ミスト浴運転において浴室に吹出される冷風の温度域として設定される上記冷風温度域は、浴室で運動を行う使用者を冷却し得る程度の温度域として設定され、例えば、標準的な人の体温（例えば３７℃程度）よりも若干高い温度（例えば４０℃程度）から、浴室で運動を行う使用者を過冷却しない程度の温度（例えば２８℃程度）の範囲内の温度域に設定することができる。
【発明を実施するための最良の形態】
【００３１】
図１は、本発明に係るミストサウナ装置５０を設置した浴室１の状態（イ）及びそのミストサウナ装置５０の外観（ロ）を示している。
浴室１には、浴槽６と洗場７があり、浴槽６に湯を張り、洗場７において、体を洗うことができる。
【００３２】
浴室１の側壁の上方には、浴室１の換気を行う換気扇４が備えられており、換気扇４は後述するミストサウナ装置５０に備えられたコンピュータからなる制御装置４０（制御手段の一例）によって制御される。
又、浴室１の側壁に、ミストサウナ装置５０の制御装置４０と接続されるリモコン５が備えられており、制御装置４０に運転指示を与えることができる。
また、このリモコン５には、使用者６０が認識可能な状態で情報を表示する表示部５ａが設けられている。
【００３３】
以上が、浴室１の概略的な構成であり、以下に、浴室１をミストサウナ空間として利用可能とするミストサウナ装置５０について詳細を説明する。
【００３４】
ミストサウナ装置５０は、図２にも示すように、浴室１の内側の側壁下方部（例えば、浴室１の高さの２分の１程度下方部で具体的には洗い場カウンタの袖部）に設置される浴室ユニット２０、給水を加熱して所定温度の湯水を浴槽６や給湯栓の他上記浴室ユニット２０に供給可能な給湯器３０、上記浴室ユニット２０や給湯器３０の作動状態を制御する制御装置４０、浴室１の側壁に設置され湯水温度等の各種設定操作や表示等を行うためのリモコン５等で構成されている。
【００３５】
ミストサウナ装置５０の浴室ユニット２０には、浴室１にミストを吹出すミスト手段Ｍ１として、給湯器３０から供給された湯水を浴室１に向けてミスト状に吹出すミストノズル１０が設けられている。
【００３６】
更に、給湯器３０が、ミストノズル１０に対して所定温度に設定された湯水を供給可能に構成されている。そして、給湯器３０によりミストノズル１０に供給される湯水の温度を調整することで、ミストノズル１０から吹出されるミストの温度を任意に設定することができ、よって、この給湯器３０が、ミスト手段Ｍ１で吹出されるミストの温度を設定可能なミスト温度設定手段Ｍ２として機能することになる。
【００３７】
ミストノズル１０は、ミストを適切に使用者に向けて吹出すために、ミストの吹出し方向を上下方向に変更可能に構成されている。
【００３８】
更に、このミストノズル１０からなるミスト手段Ｍ１は、給湯器３０から供給される湯水の量を調整可能な調整弁１１を備え、この調整弁１１の開度調整により、ミストの吹出量を設定可能に構成されている。
【００３９】
更に、ミストサウナ装置５０の浴室ユニット２０には、浴室１に風を吹出す送風手段Ｗ１として、温風を吹出す吹出口１２と浴室１の空気を吸込む吸込口１３と、吸込口１３から吸込んだ空気を吹出口１２より吹出すためのファン１６が設けられている。
吹出口１２は、複数枚並設されたルーバーにより、風の吹出し方向を上下方向に変更可能に構成されている。
【００４０】
更に、吸込口１３から吹出口１２に送られる空気を加熱する熱交換器１７が設けられており、更に、給湯器３０が、熱交換器１７に対して所定温度に設定された湯水を循環可能に構成されている。そして、熱交換器１７において湯水と空気の熱交換を行って空気を加熱すると共に、給湯器３０によりその湯水の温度を調整することで、吹出口１２から吹出される風の温度を任意に設定することができ、この熱交換器１７と給湯器３０とが、その送風手段Ｗ１で吹出される風の温度を設定可能な送風温度設定手段Ｗ２として機能することになる。
【００４１】
また、制御装置４０は、温ミスト浴運転と冷ミスト浴運転とを択一的に実行可能に構成されており、その夫々の運転について詳細な説明を加える。
【００４２】
（温ミスト浴運転）
制御装置４０は、温ミスト浴運転において、ミスト温度設定手段Ｍ２により使用者６０の発汗を促す所定の温ミスト温度域に設定された温ミストをミスト手段Ｍ１により吹出させるように構成されている。具体的には、上記温ミスト浴運転において、給湯器３０からミストノズル１０に供給する湯水の温度が比較的高温に設定されて、ミストノズル１０から４０℃〜５０℃程度の比較的高い温ミスト温度域の温ミストが吹出されることになる。
【００４３】
更には、制御装置４０は、温ミスト浴運転において、送風温度設定手段Ｗ２により所定の温風温度域に設定した温風を送風手段Ｗ１により吹出させるように構成されている。具体的には、上記温ミスト浴運転において、給湯器３０と熱交換器１７とを循環する温水の温度が比較的高温に設定されて、吹出口１２から４０℃〜５０℃程度の比較的高い温風温度域の温風が吹出されることになる。
【００４４】
そして、上記のように制御装置４０により温ミスト浴運転を行うと、浴室１では、吹出された比較的高温の温ミストが蒸発し、更に、吹出された比較的高温の温風により、浴室１が高温多湿なミストサウナ空間となり、その浴室１に居る使用者６０は上記比較的高温の温ミストを浴びる所謂温ミスト浴を行い、美容と健康の増進を図ることができる。
【００４５】
尚、制御装置４０は、上記温ミスト浴運転を、浴室１に居る使用者６０によりリモコン５に設けられた「温ミスト浴運転開始」ボタンが押されたときに開始するように構成することができる。更に、制御装置４０は、温ミスト浴運転を行った経過時間が予め設定された設定時間に達した時点、又は、リモコン５に設けられた「温ミスト浴運転終了」ボタンが押されたときに、温ミスト浴運転を終了するように構成することができる。
【００４６】
（冷ミスト浴運転）
制御装置４０は、冷ミスト浴運転において、浴室１において運動する使用者６０に対して、ミスト温度設定手段Ｍ２により上述した温ミスト温度域よりも低く使用者６０の冷却を促す所定の冷ミスト温度域に設定された冷ミストをミスト手段Ｍ１により吹出させるように構成されている。具体的には、上記冷ミスト浴運転において、給湯器３０からミストノズル１０に供給する湯水の温度が比較的低温に設定されて、ミストノズル１０から２８℃〜４０℃程度の比較的低い冷ミスト温度域の冷ミストが吹出されることになる。
【００４７】
更には、制御装置４０は、冷ミスト浴運転において、送風温度設定手段Ｗ２により上述した温風温度域よりも低い所定の冷風温度域に設定した冷風を送風手段Ｗ１により吹出させるように構成されている。具体的には、上記冷ミスト浴運転において、給湯器３０と熱交換器１７とを循環する温水の温度が比較的低温に設定されて、吹出口１２から２０℃〜４０℃程度の比較的低い冷風温度域の冷風が吹出されることになる。
【００４８】
そして、上記のように制御装置４０により冷ミスト浴運転を行うと、浴室１において運動を行っている使用者６０は、比較的低温の冷ミスト更には冷風を浴びる冷ミスト浴を行うことができるので、使用者６０に対して身体への負担を軽減しながら浴室１での快適な運動を提供することができる。
【００４９】
また、このような浴室１において、使用者６０は、運動器具７０を使用して運動を行う場合がある。
尚、図２では、上記運動器具７０としてエアロバイクを描画しているが、運動器具７０としては、エアロバイクの他、ステッパー、レッグプレス等の任意の運動器具を使用することができる。
また、この運動器具７０は、公知のトレーニングマシンとして知られる運動器具を、浴室１で使用することから防水処理を施した状態で使用することができる。
また、この運動器具７０が、油圧などを用いて負荷調整を行うように構成されている場合には、その油圧の代わりに、浴室１に供給される給水圧を利用するように運動器具７０を改変しても構わない。
【００５０】
また、この運動器具７０に設けられたコンピュータからなるコントローラ７０ａは、使用者６０の運動状態に関する運動状態情報を、赤外線信号等を利用した無線通信により、リモコン５０を介して制御装置４０に送信するように構成されている。
また、運動器具７０のコントローラ７０ａから制御装置４０に送信される運動状態情報としては、運動器具７０による運動開始を認識可能な運動開始情報、運動器具７０による運動時間を認識可能な運動時間情報、運動器具７０による運動負荷を認識可能な運動負荷情報、運動器具７０の使用者６０の心拍数を認識可能な心拍数情報、運動器具７０の動作状態を認識可能な動作状態情報等を利用することができ、これら各種情報について説明を加える。
【００５１】
上記運動開始情報は、使用者６０が運動器具７０の作動部７０ｂ（運動器具７０がエアロバイクである場合には、ペダルが作動部７０ａとされる。）を作動させて運動を開始したことを認識可能な情報である。そして、コントローラ７０ａは、その作動部７０ｂの作動開始を検出したことを上記運動開始情報として、制御装置４０に送信することができる。
【００５２】
上記運動時間情報は、使用者６０が運動器具７０を利用して継続して運動を行っている運動時間を認識可能な情報である。そして、コントローラ７０ａは、作動部７０ｂの作動開始時点又は使用者６０が運動開始ボタンを押した時点からタイマ（図示せず）により計測される時間を上記運動時間情報として、制御装置４０に送信することができる。
また、コントローラ７０ａは、運動器具７０の継続的な使用を認識可能な情報を上記運動時間情報として制御装置４０に送信し、制御装置４０がその運動時間情報が継続して送信されている時間をタイマ（図示せず）により計測して、上記運動時間を認識しても構わない。
【００５３】
上記運動負荷情報は、運動器具７０において計測される運動負荷を認識可能な情報である。
そして、コントローラ７０ａは、作動部７０ｂの作動力と作動速度等から上記運動負荷を演算し、その運動負荷を上記運動負荷情報として、制御装置４０に送信することができる。
【００５４】
上記心拍数情報は、運動器具７０により運動している使用者６０の心拍数を認識可能な情報である。そして、コントローラ７０ａは、公知のように、心拍数を計測するための端子６０を使用者６０の耳などの体に取り付けた状態で、使用者６０の心拍数を計測し、その心拍数を上記心拍数情報として、制御装置４０に送信することができる。
【００５５】
上記動作状態情報は、運動器具７０の作動部７０ａの動作周期や速度等を認識可能な情報である。そして、コントローラ７０ａは、その作動部７０ｂの作動開始を検出したことを上記運動開始情報として、制御装置４０に送信することができる。
【００５６】
また、制御装置４０は、上述した運動状態情報を、リモコン５の表示部５ａに表示したり音声案内により出力することで、使用者６０に通知して認識させることができる。
【００５７】
次に、ミストサウナ装置５０の制御装置４０は、浴室１において冷ミスト浴を行いながら運動器具７０による運動を行う使用者６０に対して、冷ミスト浴運転状態の変化によりその使用者の運動状態を認識させ、更には、退屈な思いを凌ぎながら運動状態に合わせて適切に使用者の体温上昇を抑制し身体への負担を軽減するために、上記のような運動器具７０から入力される運動状態情報に基づいて、ミスト手段により調整可能な冷ミストの吹出量やミスト温度設定手段により調整可能な冷ミストの温度等の冷ミスト浴運転状態を制御するように構成されている。
以下、その冷ミスト浴運転状態の制御としての、冷ミスト浴運転の開始及び終了制御、冷ミスト浴運転における冷却能力制御、冷ミスト浴運転における運動機器連動制御について、詳細な説明を加える。
【００５８】
（冷ミスト浴運転の開始及び終了制御）
制御装置４０は、運動状態情報として上述した運動開始情報により認識した運動器具７０による運動開始時に冷ミスト浴運転を開始するように構成されている。
即ち、制御装置４０は、図３に示すように、運動器具７０から運動開始情報が入力されたことにより、使用者６０が運動を開始したか否かを判定し（ステップ＃１）、使用者６０の運動が開始されたときに、冷ミスト浴運転の実行（ステップ＃２）を開始する。
尚、このように、運動状態情報としての運動開始情報を用いて冷ミスト浴運転を開始するのではなく、浴室１において運動を開始する使用者６０によりリモコン５に設けられた「冷ミスト浴運転開始」ボタンが押されたときに冷ミスト浴運転を開始するように構成しても構わない。
【００５９】
更に、制御装置４０は、運動状態情報として上述した運動時間情報により認識した運動器具７０による運動時間が設定運動時間に達したときに冷ミスト浴運転を終了するように構成されている。
即ち、制御装置４０は、図３に示すように、冷ミスト浴運転を実行（ステップ＃２）しているときに、上記運動時間ｔが予め設定された設定運動時間Ｔに達したか否かを判定し（ステップ＃４）、上記運動時間ｔが設定運動時間Ｔに達したと判定したときに、例えば、使用者６０に対して、冷ミスト浴運転の終了を通知するために、運動を終了することを促すガイダンスを表示部５ａに表示したり音声案内により出力し、それと同時又は所定時間（例えば３分）経過後に、冷ミスト浴運転を終了する（ステップ＃５）。
尚、このように、運動状態情報としての運動時間情報を用いて冷ミスト浴運転を終了するのではなく、浴室１において運動を終了する使用者６０によりリモコン５に設けられた「冷ミスト浴運転終了」ボタンが押されたときに冷ミスト浴運転を終了するように構成しても構わない。
【００６０】
（冷ミスト浴運転における冷却能力制御）
制御装置４０は、上述した運動時間情報により認識した運動機器７０による運動時間、上述した運動負荷情報により認識した運動器具７０の運動負荷、上述した心拍数情報により認識した使用者６０の心拍数のうちの少なくとも１つの大きさに応じて、冷ミスト浴運転における冷ミストの温度又は冷ミストの吹出量を変化させる冷却能力制御を実行するように構成されている。
【００６１】
即ち、制御装置４０は、上記冷却能力制御において、図４に示すように、運動時間が長くなるほど、運動負荷が大きくなるほど、又は、心拍数が高くなるほど、使用者６０の体温が顕著に上昇しやすいとして、ミスト温度設定手段Ｍ２としての給湯器３０又はミスト手段Ｍ１としての調整弁１１の作動制御により、冷ミスト浴運転における冷ミストの温度を低くする形態、又は、冷ミストの吹出量を多くする形態で、冷ミスト浴運転による使用者６０に対する冷却能力を連続的又は段階的に大きくすることで、使用者６０の体温の上昇を適切に抑制し、使用者６０の身体への負担を軽減することができる。
【００６２】
（冷ミスト浴運転における運動機器連動制御）
前記制御手段が、上述した動作状態情報により認識した運動器具７０の動作状態に応じて、冷ミスト浴運転における冷ミストの吹出量を変化させる運動機器連動制御を実行するように構成されている。
【００６３】
即ち、制御装置４０は、その運動器具の動作状態として、例えば、運動器具７０の作動部７０ａの動作周期や動作速度に合わせて、自動的に冷ミスト浴運転において吹出される冷ミストの吹出量を変化させることで、使用者６０に対して運動器具７０の動作状態を認識させ、退屈な思いを凌ぎながらダイエットや体力増進に有効な運動を行わせることができる。
【００６４】
例えば、制御装置４０は、上記冷ミストの吹出量を変化させる形態として、調整弁１１の周期的に開閉させて冷ミストを間欠的に吹出すと共に、その調整弁１１の開閉周期を変化させることで、冷ミストの間欠吹出周期を変化させることができる。
また、制御装置４０は、図５に示すように、運動器具７０の作動部７０ａの動作周期が短くなるほど、又は、運動器具７０の作動部７０ａの動作速度が早くなるほど、上記冷ミストの間欠吹出周期を短くするように構成することで、冷ミストの吹出状態を使用者６０の運動速度に連動させることができる。よって、使用者６０は、冷ミストが自らの運動に連動して吹出されていることを感じることから、退屈な思いが一層凌がれて、ダイエットや体力増進に有効な運動が動機付けられることになる。
【００６５】
更に、制御装置４０は、上述のような運動状態情報に基づいて冷ミスト浴運転状態を制御するのに加えて、浴室１の温度又は湿度等の環境状態情報に基づいて、冷ミスト運転状態を制御するように構成されている。
具体的には、制御装置４０は、浴室１の温度又は湿度を計測するセンサ（図示せず）から入力される浴室１の温度又は湿度の状態に応じて、上述した冷却能力制御と同様に、冷ミスト浴運転における冷ミストの温度又は冷ミストの吹出量を変化させることができる。
【００６６】
即ち、制御装置４０は、浴室１の温度が高いほど、又は、浴室１の湿度が高いほど、使用者６０の体温が顕著に上昇しやすいとして、ミスト温度設定手段Ｍ２としての給湯器３０又はミスト手段Ｍ１としての調整弁１１の作動制御により、冷ミスト浴運転における冷ミストの温度を低くする形態、又は、冷ミストの吹出量を多くする形態で、冷ミスト浴運転による使用者６０に対する冷却能力を連続的又は段階的に大きくすることで、使用者６０の体温の上昇を一層適切に抑制し、使用者６０の身体への負担を軽減することができる。
【００６７】
〔別実施の形態〕
（１）上記実施の形態では、浴室ユニット２０を浴室１の側壁下方に設置したが、別に、浴室ユニット２０の一部又は全部を浴室１の側壁上方や天井等の任意位置に設置しても構わない。
【００６８】
（２）上記実施の形態では、制御装置４０を、運動器具７０から入力された運動状態情報に基づいて、冷ミスト浴運転の開始及び終了制御、冷ミスト浴運転における冷却能力制御、冷ミスト浴運転における運動機器連動制御等の冷ミスト浴運転状態の制御を実行するように構成したが、別に、制御装置４０を、このような冷ミスト浴運転状態の制御を実行しないように構成しても構わない。
【００６９】
（３）上記実施の形態では、送風手段Ｗ１と送風温度設定手段Ｗ２とを設けたが、別に、それらを省略しても構わない。
【産業上の利用可能性】
【００７０】
本発明は、浴室に設置され、浴室で運動を行う使用者に対して、身体への負担を軽減しながら浴室における快適な運動を提供することができるミストサウナ装置として利用される。
【図面の簡単な説明】
【００７１】
【図１】ミストサウナ装置の配置状態及び外観を示す図
【図２】ミストサウナ装置の概略構成を示す図
【図３】冷ミスト浴運転の開始及び終了制御を説明するフロー図
【図４】冷ミスト浴運転における冷却能力制御を説明する図
【図５】冷ミスト浴運転における運動機器連動制御を説明する図
【符号の説明】
【００７２】
１：浴室
４０：制御装置（制御手段）
５０：ミストサウナ装置
６０：使用者
７０：運動器具
Ｍ１：ミスト手段
Ｍ２：ミスト温度設定手段
Ｗ１：送風手段
Ｗ２：送風温度設定手段
【図１】
2006136651.tif 000003
【図２】
2006136651.tif 000004
【図３】
2006136651.tif 000005
【図４】
2006136651.tif 000006
【図５】
2006136651.tif 000007